(57)【特許請求の範囲】
【請求項１】
押離鍵操作によって上下方向に揺動する複数の白鍵及び複数の黒鍵と、
前後方向に延びるようにそれぞれ形成され、前記複数の白鍵及び複数の黒鍵によって駆動されて、前記複数の白鍵及び複数の黒鍵の揺動に連動して揺動する複数のレバーと、
前記複数の白鍵、複数の黒鍵及び複数のレバーを揺動可能に支持する複数の支持部を有するとともに、電子楽器のフレームに組み付けられる鍵フレームとを備えた電子楽器の鍵盤装置において、
前記白鍵は、前記レバーを駆動するための白鍵駆動部であって、前記白鍵の前端よりも後方かつ前記レバーの支持部よりも前方に形成された白鍵駆動部を有し、
前記黒鍵は、前記レバーを駆動するための黒鍵駆動部であって、前記黒鍵の見え掛り部の前端よりも前方かつ前記レバーの支持部よりも前方に形成された黒鍵駆動部を有し、
前記白鍵駆動部と前記黒鍵駆動部の前後方向の位置を同一にするとともに、
前記白鍵を選択的に照光するための照光器を組み付けた白鍵照光基板と、
前記黒鍵を選択的に照光するための照光器を組み付けた黒鍵照光基板とを備え、
前記白鍵及び黒鍵の揺動をガイドするための鍵ガイドを、前記鍵フレームの前後方向の同一位置に並設し、
前記白鍵駆動部及び前記黒鍵駆動部の前方且つ前記鍵ガイドの前方にて前記白鍵照光基板を前記鍵フレームに組み付け、前記白鍵駆動部及び前記黒鍵駆動部の後方且つ前記鍵ガイドの後方にて前記黒鍵照光基板を前記鍵フレームに組み付けたことを特徴とする電子楽器の鍵盤装置。
【請求項２】
前記鍵フレームの前端部に前記白鍵照光基板を組み付け、前記白鍵照光基板の下方に前記複数の白鍵の変位を規制するストッパ部を設けたことを特徴とする請求項１に記載の電子楽器の鍵盤装置。
【請求項３】
前記レバーの前端部を前記白鍵照光基板の下方に位置させ、前記白鍵照光基板と前記レバーの前端部の間に前記複数の白鍵及び複数の黒鍵の変位を規制するストッパ部を設けたことを特徴とする請求項２に記載の電子楽器の鍵盤装置。
【請求項４】
前記鍵フレームは、前記鍵フレームの下部に設けた鍵フレーム固定部にて、前記電子楽器のフレームに組み付けられ、前記鍵フレーム固定部より前方の部分が、前記電子楽器のフレームから離間するようにしたことを特徴とする請求項１乃至３に記載の電子楽器の鍵盤装置。
【発明の詳細な説明】
【技術分野】
【０００１】
本発明は、電子オルガン、電子ピアノなどの電子楽器の鍵盤装置に関する。
【背景技術】
【０００２】
従来から、例えば、下記特許文献１に示されているように、鍵の揺動に連動して揺動するレバーを駆動するための駆動部を各鍵の下部から垂直下方へ延設し、鍵フレームに設けた開口部を通して、駆動部の下端部をレバーの前端部に係合させた鍵盤装置は知られている。また、下記特許文献２に示されているように、演奏者に対する押鍵操作ガイドのために、押鍵すべき鍵を照光する照光器を有する鍵盤装置も知られている。これらの鍵盤装置においては、各白鍵の駆動部は前後方向の位置が同一であり、各黒鍵の駆動部の前後方向の位置も同一であるが、白鍵の駆動部と黒鍵の駆動部は、互いに前後方向に離間している。また、下記特許文献１及び２に示されているように、鍵フレームの前部に、各鍵に摺接して鍵の揺動をガイドするための鍵ガイドを設けた鍵盤装置も知られている。この鍵ガイドは、各鍵に対応して設けられるため、横方向（鍵の並び方向）に並設される。また、白鍵の鍵ガイドと黒鍵の鍵ガイドは、互いに前後方向に離間している。
【先行技術文献】
【特許文献】
【０００３】
【特許文献１】特開平９−２４４６２３号公報
【特許文献２】特許第３６５１２９７号公報
【発明の概要】
【０００４】
しかし、上記従来の鍵盤装置においては、白鍵の駆動部と黒鍵の駆動部は、互いに前後方向に離間しているので、駆動部２列分の開口部を鍵フレームの前部に設ける必要があった。したがって、鍵盤装置の前部において、前後方向に大きなスペースを必要とするため、鍵フレームの前後方向の寸法が大きくなっていた。また、白鍵用の鍵ガイド及び黒鍵用の鍵ガイドも、互いに前後方向に離間しているので、鍵ガイドを設けるために、鍵ガイド２列分のスペースを鍵フレームの前部に確保しておく必要があった。特に、演奏者の演奏をガイドするための照光器を備える鍵盤装置においては、鍵フレームの前部に照光器を配置するスペースも確保しなければならないため、鍵フレームの前後方向の寸法が大きくなっていた。
【０００５】
本発明は前記問題を解決するためになされたものであり、その目的は、演奏者の演奏をガイドするために押鍵すべき鍵を照光する照光器を備えた鍵盤装置であって、鍵フレームの前後方向の寸法を小さくすることにより軽量化するとともに、コストを抑制した電子楽器の鍵盤装置を提供することにある。
【０００６】
前記目的を達成するため、本発明の特徴は、押離鍵操作によって上下方向に揺動する複数の白鍵（１１ａ）及び複数の黒鍵（１１ｂ）と、前後方向に延びるようにそれぞれ形成され、複数の白鍵及び複数の黒鍵によって駆動されて、複数の白鍵及び複数の黒鍵の揺動に連動して揺動する複数のレバー（１８）と、複数の白鍵、複数の黒鍵及び複数のレバーを揺動可能に支持する複数の支点部を有するとともに、電子楽器のフレーム（ＦＲ）に組み付けられる鍵フレーム（１２）とを備えた電子楽器の鍵盤装置において、白鍵は、レバーを駆動するための白鍵駆動部（１７ａ）であって、前記白鍵の前端よりも後方かつ前記レバーの支持部よりも前方に形成された白鍵駆動部を有し、黒鍵は、レバーを駆動するための黒鍵駆動部（１７ｂ）であって、前記黒鍵の見え掛り部の前端よりも前方かつ前記レバーの支点部よりも前方に形成された黒鍵駆動部を有し、白鍵駆動部と黒鍵駆動部の前後方向の位置を同一にするとともに、白鍵を選択的に照光するための照光器を組み付けた白鍵照光基板（２４）と、黒鍵を選択的に照光するための照光器を組み付けた黒鍵照光基板（３０）とを備え、白鍵及び黒鍵の揺動をガイドするための鍵ガイドを、鍵フレームの前後方向の同一位置に並設し、白鍵駆動部及び黒鍵駆動部の前方且つ鍵ガイドの前方にて白鍵照光基板を鍵フレームに組み付け、白鍵駆動部及び黒鍵駆動部の後方且つ鍵ガイドの後方にて黒鍵照光基板を鍵フレームに組み付けたことにある。これによれば、白鍵駆動部と黒鍵駆動部の前後方向の位置を同一にしたので、駆動部１列分の開口部を鍵フレームの前部に設ければよい。そのため、鍵フレームの前後方向の寸法をさらに小さくすることができる。したがって、鍵盤装置をさらに軽量化することができ、鍵盤装置のコストをさらに抑制することができる。
【０００７】
また、白鍵用の鍵ガイド及び黒鍵用の鍵ガイドを鍵フレームの前後方向の同一位置に並設したので、鍵ガイド１列分のスペースを鍵フレームの前部に確保すればよい。そのため、鍵フレームの前後方向の寸法を小さくすることができる。したがって、鍵盤装置をさらに軽量化することができ、鍵盤装置のコストをさらに抑制することができる。
【０００８】
本発明の他の特徴は、さらに、鍵フレームの前端部に白鍵照光基板を組み付け、白鍵照光基板の下方に複数の白鍵の変位を規制するストッパ部（２７）を設けたことにある。この場合、レバーの前端部を白鍵照光基板の下方に位置させ、白鍵照光基板とレバーの前端部の間に複数の白鍵及び複数の黒鍵の変位を規制するストッパ部を設けるとよい。これによれば、白鍵照光基板とストッパ部の前後方向の位置を同一にしたので、鍵フレームの前後方向の寸法をさらに小さくすることができる。したがって、鍵盤装置をさらに軽量化することができ、鍵盤装置のコストをさらに抑制することができる。
【０００９】
また、本発明の他の特徴は、鍵フレームは、鍵フレームの下部に設けた鍵フレーム固定部にて、電子楽器のフレームに組み付けられ、鍵フレーム固定部（２２）より前方の部分が、電子楽器のフレームから離間するようにしたことにある。これによれば、鍵フレームを形成するために使用する樹脂材料の量を減らすことができる。したがって、鍵盤装置を軽量化することができ、鍵盤装置のコストを抑制することができる。
【００１０】
なお、前記括弧内の符号は、本発明の理解を容易にするために、後述する実施形態との対応関係を示すものであるが、本発明はこれに限定されるものではない。
【図面の簡単な説明】
【００１１】
【図１Ａ】本発明の一実施形態に係る鍵盤装置の白鍵の構成を示すために、本鍵盤装置から黒鍵を取り外した状態を示す右側面図である。
【図１Ｂ】本発明の一実施形態に係る鍵盤装置の黒鍵の構成を示すために、本鍵盤装置から白鍵を取り外した状態を示す右側面図である。
【図２Ａ】図１Ａ及び図１Ｂの鍵盤装置の鍵フレームの平面図である。
【図２Ｂ】図２ＡのＢ−Ｂ線に沿って見た断面図である。
【図３Ａ】本発明の変形例に係る鍵盤装置の白鍵の前端部を拡大した右側面図である。
【図３Ｂ】本発明の変形例に係る鍵盤装置の黒鍵の前端部を拡大した右側面図である。
【発明を実施するための形態】
【００１２】
以下、本発明の一実施形態について図面を用いて説明する。以下の説明では、演奏者から見て手前側（図１Ａ及び図１Ｂの左側）を「前」とし、奥側（図１Ａ及び図１Ｂの右側）を「後」とする。また、演奏者から見て右側（図１Ａ及び図１Ｂの紙面の表面側）を「右」とし、左側（図１Ａ及び図１Ｂの紙面の裏面側）を「左」とする。さらに、演奏者から見て、上側（図１Ａ及び図１Ｂの上側）を「上」とし、下側（図１Ａ及び図１Ｂの下側）を「下」とする。なお、左右方向を横方向という。
【００１３】
図１Ａ及び図１Ｂは、本実施形態に係る鍵盤装置を右側から見た右側面図である。この鍵盤装置は複数の白鍵１１ａ及び黒鍵１１ｂを有しており、図１Ａにおいては、白鍵１１ａの構成を示すために、この鍵盤装置から黒鍵１１ｂを取り外した状態を示している。一方、図１Ｂにおいては、黒鍵１１ｂの構成を示すために、この鍵盤装置から白鍵１１ａを取り外した状態を示している。白鍵１１ａ及び黒鍵１１ｂは、それぞれ合成樹脂によって長尺状に一体成型されている。白鍵１１ａは、黒鍵１１ｂに比べて前後方向に長い。また、白鍵１１ａは、黒鍵１１ｂに比べて、上下方向の幅が小さく、横方向の幅が大きい。白鍵１１ａ及び黒鍵１１ｂは、前後に延設された薄肉の上壁及び上壁の左右端からそれぞれ下方へ延設された薄肉の側壁を有し、下方に開放した中空状に形成されている。そして、白鍵１１ａ及び黒鍵１１ｂは、下方に設けられた鍵フレーム１２の鍵支持部１３により支持されており、後端部の回転中心１４を中心として、前端部が上下方向に揺動可能となっている。
【００１４】
鍵フレーム１２は、図２Ａ及び図２Ｂに示すように、樹脂の一体成型により横方向に延設されている。図２Ａは、鍵フレーム１２の中間部にある一部の鍵域を示したものである。鍵フレーム１２は、前後方向の幅が広くかつ横方向に延設された前板１２ａ及び後板１２ｂを有する。後板１２ｂは、前板１２ａよりも前後方向の幅が狭い。上記鍵支持部１３は、後板１２ｂの上面から上方へ突出するように形成されている。前板１２ａ及び後板１２ｂの下面には、複数のリブ１２ｄの上端が接続されている。リブ１２ｄは、横方向に薄肉で前後方向に延設されており、横方向に所定の間隔をおいて設けられている。また、リブ１２ｄは、前板１２ａの前端よりも前方へ張り出している。この張り出した部分に、後述の延設部１６，２１，２３が設けられる。
【００１５】
隣り合うリブ１２ｄの上端部であって、黒鍵１１ｂの前端部の下方に位置する部分を繋ぐようにして、延設部１６が横方向に延設されている。延設部１６の前後方向の幅は、前板１２ａ及び後板１２ｂの前後方向の幅に比べて狭い。延設部１６の上面から上方に突出するようにして、白鍵１１ａ及び黒鍵１１ｂの揺動をガイドするための鍵ガイド１５が形成されている。鍵ガイド１５は、白鍵１１ａ及び黒鍵１１ｂに下方から侵入しており、押離鍵時に鍵ガイド１５の側面と白鍵１１ａ及び黒鍵１１ｂの側壁の内側の面が摺接するようになっている。これにより、押離鍵時の白鍵１１ａ及び黒鍵１１ｂの横方向の微少な変位を抑制している。
【００１６】
また、白鍵１１ａの中間部であって、白鍵１１ａの前端と鍵ガイド１５の間に位置する部分から下方へ向かって駆動部１７ａが延設されている。駆動部１７ａは、上下に延設された薄肉の前壁及び前壁の左右端からそれぞれ後方へ延設された薄肉の側壁を有し、後方に開放した中空状に形成されている。駆動部１７ａの下端は下端壁により閉じている。一方、黒鍵１１ｂも白鍵１１ａと同様の駆動部１７ｂを有する。黒鍵１１ｂは、離鍵状態において白鍵１１ａの上面よりも上方に突出した部分（以下、黒鍵１１ｂの見え掛り部という。）の前端から下方へ延設された後、僅かに前方へ湾曲させられた連結部を有し、この連結部の先端に、駆動部１７ｂの上端が接続されている。駆動部１７ａと駆動部１７ｂの前後方向の位置は同一であり、駆動部１７ａと駆動部１７ｂの下端壁の上下方向の位置も同一である。すなわち、駆動部１７ａ，１７ｂは、黒鍵１１ｂの見え掛り部の前端よりも前方に位置する。延設部１６の前側に設けられた上下に開口した開口部内にて、駆動部１７ａ，１７ｂの下端部が、レバー１８の前端部に係合している。
【００１７】
レバー１８は、押離鍵操作に伴って揺動して、各鍵に慣性力を付与する。これにより、アコースティックピアノの鍵タッチ感を模擬している。レバー１８は、合成樹脂製のレバー基部１８ａ及び金属製の質量体１８ｂからなる。レバー基部１８ａは、板状の部材であって、その下部に設けたフック部１８ａ１にて、鍵フレーム１２の下部に設けたレバー支持部２０に、ピン２０ａの軸線周りに回動可能に支持されている。レバー支持部２０は、隣り合うリブ１２ｄの下端部を繋ぐように横方向に延設された、前板１２ａ及び後板１２ｂに比べて前後方向の幅が狭い延設部２１の上面から上方に突出するように一体的に形成されている。白鍵１１ａ及び黒鍵１１ｂの揺動レバー１８の回転軸となるピン２０ａは、鍵フレーム１２の前後方向の同一位置に並設されている。リブ１２ｄと延設部２１の接続部には、ボス２２が一体的に形成されている。電子楽器のフレームＦＲに貫通孔を設けておいて、この貫通孔に図示しないねじを下方から通して、ボス２２にねじ込むことにより、この鍵盤装置は電子楽器のフレームＦＲに固定される。
【００１８】
また、レバー基部１８ａは、前端部に上下一対の脚部１８ａ２，１８ａ３を備え、上方に位置する脚部１８ａ２は下方に位置する脚部１８ａ３より短く形成されている。脚部１８ａ２，１８ａ３の間には、駆動部１７ａ，１７ｂの下端壁が侵入している。脚部１８ａ２は、駆動部１７ａ，１７ｂの下端壁と、駆動部１７ａ，１７ｂ内であって下端壁との間に隙間を形成する中間壁との間に侵入している。駆動部１７ａ，１７ｂの下端壁には、ゴム、ウレタン、フエルトなどの衝撃吸収材が嵌め込まれて固着され、駆動部１７ａ，１７ｂの下端と脚部１８ａ３の上面との衝突、及び駆動部１７ａ，１７ｂの下端と脚部１８ａ２の下面との衝突による衝撃を緩和している。白鍵１１ａ及び黒鍵１１ｂの離鍵時には、レバー１８の自重により、レバー１８の前端部が上方へ変位する。このとき、脚部１８ａ３により駆動部１７ａ，１７ｂが上方へ付勢され、白鍵１１ａ及び黒鍵１１ｂの前端部は上方へ変位する。一方、白鍵１１ａ及び黒鍵１１ｂの押鍵時には、駆動部１７ａ，１７ｂの下端面が脚部１８ａ３の上面を押圧し、レバー１８の前端部は下方へ変位する。
【００１９】
質量体１８ｂは、板状に形成され、レバー基部１８ａの後端に組み付けられている。質量体１８ｂは、全ての白鍵１１ａ及び黒鍵１１ｂに対して共通としてもよいし、アコースティックピアノの鍵タッチ感をより忠実に模擬するために、低音側から高音側に向かうに従って、鍵ごと又は鍵域ごとに質量体１８ｂを軽くしてもよい。
【００２０】
また、隣り合うリブ１２ｄの前端部を繋ぐようにして、延設部２３が横方向に延設されている。延設部２３の前後方向の幅は、前板１２ａ及び後板１２ｂの前後方向の幅に比べて狭い。この鍵盤装置が電子楽器のフレームＦＲに組み付けられた状態では、延設部２３は、フレームＦＲから上方に離間している。また、この鍵盤装置が電子楽器のフレームＦＲに組み付けられた状態では、リブ１２ｄの前部であって、リブ１２ｄと延設部２１との接続部分より前方の部分もフレームＦＲから離間している。延設部２３の上面には、演奏者に対する押鍵操作ガイドのために、各白鍵１１ａに対応して設けられた照光器ＬＷ（例えばＬＥＤ）の点灯及び消灯を制御する白鍵照光回路を有する基板２４が組み付けられている。照光器ＬＷは、基板２４の前部に組み付けられている。なお、隣接する鍵への光漏れを防いで、対応する白鍵１１ａのみを照光するための遮光板を、各照光器ＬＷの周囲に設けてもよい。延設部２３とリブ１２ｄの接続部分には、ボス２５が一体的に設けられており、ボス２５に基板２４がねじ２６により固定される。なお、リブ１２ｄと延設部２３との全ての接続部分にボス２５を設ける必要はなく、所定箇所のみ設ければよい。ただし、各ボス２５の間隔が大きすぎると、その間の基板２４が自重により撓むので、例えば、１オクターブにつき１〜２箇所をねじ２６で固定できるようにボス２５を設けるとよい。
【００２１】
また、延設部２３の下面には、フエルトなどの衝撃吸収材によって構成した長尺状の上限ストッパ２７が、横方向に延設されて固着されている。この上限ストッパ２７は、レバー１８の前端部の上方への変位を規制することにより、離鍵時における白鍵１１ａ及び黒鍵１１ｂの前端部の上方への変位を規制する。
【００２２】
また、各リブ１２ｄの中間部には、上端から下方へ向かって方形状に切り欠いた、切り欠き１２ｄ１が設けられている。この切り欠き１２ｄ１を一体成型により形成するために、切り欠き１２ｄ１の上方に位置する前板１２ａの中間部には、上面から下面に貫通した方形状の貫通孔１２ａ１が設けられている。図２Ａは、鍵フレーム１２の中間部にある一部の鍵域を示しているため、図２Ａの右端部及び左端部の貫通孔１２ａ１は、その一部が示されている。なお、鍵フレーム１２の右端部及び左端部に位置するリブ１２ｄの切り欠き１２ｄ１の上方に位置する前板１２ａの右端部及び左端部には、前板１２ａの右端及び左端からそれぞれ内側へ向かって方形状に切り欠いた、切り欠きが設けられている。そして、前板１２ａの下面には、フエルトなどの衝撃吸収材によって構成した長尺状の下限ストッパ２８が、リブ１２ｄの切り欠き１２ｄ１を通って、横方向に延設されて固着されている。この下限ストッパ２８は、レバー１８の後部の上方への変位を規制することにより、押鍵時における白鍵１１ａ及び黒鍵１１ｂの前端部の下方への変位を規制する。
【００２３】
また、白鍵１１ａ及び黒鍵１１ｂの中間部の下面には、スイッチ駆動部２９が設けられている。スイッチ駆動部２９は、基板３０上に配置されたスイッチ３１の上面に当接している。スイッチ３１は、各鍵ごとに設けられ、各鍵の揺動に伴って押圧されて、各鍵の押離鍵状態を検出する。また、基板３０の中間部には上面から下面に貫通した方形状の貫通孔３０ａが、前板１２ａに一体的に形成された第１保持部３２に対応した位置に設けられている。基板３０の前端部には、白鍵照光回路と同様の黒鍵照光回路が設けられている。黒鍵照光回路は、演奏者に対する押鍵操作ガイドのために、各黒鍵１１ｂに対応して設けられた照光器ＬＢ（例えばＬＥＤ）の点灯及び消灯を制御する。照光器ＬＢは、基板３０の前部に組み付けられている。なお、基板２４と同様に、隣接する鍵への光漏れを防いで、対応する黒鍵１１ｂのみを照光するための遮光板を、各発光素子の周囲に設けてもよい。基板３０は、第１保持部３２と第２保持部３３によって保持される。
【００２４】
上記実施形態においては、白鍵１１ａの駆動部１７ａと黒鍵１１ｂの駆動部１７ｂの前後方向の位置が同一になるようにした。すなわち、駆動部１７ａ及び駆動部１７ｂは、横方向に１列に並設されている。駆動部１７ａと駆動部１７ｂが前後に離間している場合、駆動部１７ａ及び駆動部１７ｂを各鍵の下部から下方へ延設してレバー１８に係合させるために、鍵フレーム１２に開口部をそれぞれ設ける必要がある。すなわち駆動部２列分の開口部を鍵フレーム１２に設ける必要があるが、上記実施形態によれば、駆動部１列分の開口部を鍵フレーム１２に設けるだけでよいので、鍵フレーム１２の前後方向の寸法を小さくすることができる。したがって、鍵盤装置を軽量化することができる。また、鍵盤装置のコストを抑制することもできる。また、駆動部１７ａ，１７ｂは、黒鍵１１ｂの見え掛り部の前端より前方に位置するようにした。そのため、基板３０の前端部を黒鍵１１ｂの見え掛り部の前端部の下方に位置させることができる。したがって、基板３０の前部に組み付けた照光器ＬＢによって、黒鍵１１ｂの見え掛り部の前端部を照光することができる。また、リブ１２ｄの前端部に設けた延設部２３に基板２４を組み付けたので、基板２４の前部に組み付けた照光器ＬＷによって、白鍵１１ａの前端部を照光することができる。
【００２５】
また、横方向に延設された延設部１６の上面から上方へ突出するようにして、鍵ガイド１５を形成した。すなわち、白鍵１１ａ及び黒鍵１１ｂの揺動をガイドする鍵ガイド１５は、横方向に１列に並設されている。そのため、鍵ガイド１５を形成するための延設部を２列設けておいて、一方を白鍵１１ａ用、他方を黒鍵１１ｂ用とする場合に比べて、鍵フレーム１２の前後方向の寸法を小さくすることができる。
【００２６】
また、延設部２３の下面に上限ストッパ２７を組み付けるようにしたので、上限ストッパ２７を組み付けるための支持部を別途設ける場合に比べて、鍵フレーム１２の前後方向の寸法を小さくすることができる。さらに、この鍵盤装置が電子楽器のフレームＦＲに組み付けられた状態で、延設部２３が電子楽器のフレームＦＲから上方へ離間するようにして、延設部２３の下方は、レバー１８の前端が上下に揺動するための空間となるようにした。そして、リブ１２ｄにおいては、延設部２１との接続部分よりも前方の部分が電子楽器のフレームＦＲから離間するようにした。したがって、上記従来の鍵盤装置に比べて、鍵フレーム１２を形成するために使用する樹脂の量を減らすことができるので、鍵盤装置を軽量化することができる。また、鍵盤装置のコストを抑制することもできる。
【００２７】
さらに、本発明の実施にあたっては、上記実施形態に限定されるものではなく、本発明の目的を逸脱しない限りにおいて種々の変更が可能である。
【００２８】
上記実施形態においては、白鍵１１ａの駆動部１７ａと黒鍵１１ｂの駆動部１７ｂの前後方向の位置を同一にするとともに白鍵１１ａの鍵ガイド１５と黒鍵１１ｂの鍵ガイド１５の前後方向の位置を同一にした。しかし、白鍵１１ａの駆動部１７ａと黒鍵１１ｂの駆動部１７ｂの前後方向の位置を同一にするだけでもよい。このように構成すると、上記実施形態に比べて鍵フレーム１２の前後方向の寸法が若干大きくなるが、上記従来の鍵盤装置に比べれば、鍵フレーム１２の前後方向の寸法を小さくすることができる。
【００２９】
また、上記実施形態においては、延設部２３の下面に組み付けた上限ストッパ２７に、レバー１８の前端部に設けた脚部１８ａ３を当接させて、レバー１８の前端部の上方向の変位を規制するようにした。これにより、離鍵時における白鍵１１ａ及び黒鍵１１ｂの前端部の上方向の変位を規制するようにした。しかし、図３Ａ及び図３Ｂに示すように、駆動部１７ａ，１７ｂの下端から前方へ突出した突出部１７ａ１，１７ｂ１を設けておき、突出部１７ａ１，１７ｂ１の上面を上限ストッパ２７に当接させるようにしてもよい。また、図３Ａ及び図３Ｂに示すように、レバー１８の前端部に脚部１８ａ２を設けなくてもよい。このように構成しても、白鍵１１ａ及び黒鍵１１ｂの離鍵時の上方向の変位を規制することができる。
【００３０】
また、上記実施形態及びその変形例においては、フエルトなどの衝撃吸収材によって構成した長尺状の上限ストッパ２７を延設部２３の下面に組み付けた。しかし、これに代えて、上限ストッパをエラストマーで構成し、２色成形により延設部２３の下面に一体的に形成してもよい。このように構成すれば、上限ストッパ２７を延設部２３に組み付ける工程を省略できるので、鍵盤装置の組み立て性が向上する。
【符号の説明】
【００３１】
１１ａ・・・白鍵、１１ｂ・・・黒鍵、１２・・・鍵フレーム、１５・・・鍵ガイド、１３・・・鍵支持部、１７ａ，１７ｂ・・・駆動部、１８・・・レバー、２２・・・ボス、２４，３０・・・基板、２５・・・ボス、２７・・・上限ストッパ、ＦＲ・・・フレーム
【図１Ａ】
0005463764.tif 000002
【図１Ｂ】
0005463764.tif 000003
【図２Ａ】
0005463764.tif 000004
【図２Ｂ】
0005463764.tif 000005
【図３Ａ】
0005463764.tif 000006
【図３Ｂ】
0005463764.tif 000007